(57)【要約】【課題】金属粒、針、チップ等の医療具を付着させること及び絆創膏基材を皮膚等に貼り付けることが容易にできる絆創膏を提供する。【解決手段】粘着面４と非粘着面５を有する絆創膏基材２と、その粘着面４上に貼り合わされた剥離シート３とから成る絆創膏１において、剥離シート３に、粘着面４の一部を露出させる開口を形成する切れ目７を設け、この切れ目７の内側の、剥離シートにおける開口の蓋７ａとなる部分は、剥離シート３から離脱しないように構成される。【選択図】  図１
2004236795.tif 000002
【特許請求の範囲】
【請求項１】
粘着面と非粘着面を有する絆創膏基材と、その粘着面上に貼り合わされた剥離シートとから成る絆創膏において、
前記剥離シートに、前記粘着面の一部を露出させる開口を形成する切れ目を設け、該切れ目の内側の剥離シートにおける前記開口の蓋となる部分は、当該剥離シートから離脱しないことを特徴とする絆創膏。
【請求項２】
請求項１記載の絆創膏において、前記剥離シートに、当該剥離シートの端と前記蓋との間で当該剥離シートの一端から他端にかけて、前記粘着面上の剥離シートを少なくとも二分するスリットを設けたことを特徴とする絆創膏。
【請求項３】
請求項２記載の絆創膏において、前記蓋の一部は前記スリットによって形成され、該スリットに切れ込む切れ目が前記絆創膏基材の面上で前記剥離シートの端に向って延びていることを特徴とする絆創膏。
【請求項４】
請求項２又は３記載の絆創膏において、前記剥離シートに、前記絆創膏基材と別の絆創膏基材との間に前記スリットから前記剥離シートの端に向って破線状の切れ目を設けたことを特徴とする絆創膏。
【発明の詳細な説明】
【０００１】
【発明の属する技術分野】
本発明は、例えば、肩こり、腰痛、筋肉痛等の治療のために人体の経絡に関係したツボや痛みを感じる部位等に金属粒、鍼、チップ状の小物等の医療用具、人の皮膚等に付ける綿やガーゼのような日用品、或いは健康診断において心電計による測定を行うための電極等、種々の物品を接触させるときに使用される絆創膏に関する。
【０００２】
【従来の技術】
従来から、絆創膏基材の粘着面に、例えば金属粒、鍼、チップ状の小物等の物品を付着或いは固着させた絆創膏がある。この種の絆創膏は、上記のような物品を絆創膏の粘着面に付着或いは固着させ、患部（例えば、体の経絡に関係したツボや、打撲、ネンザ等で挫傷した部位）を治療するときその患部に物品が接触するように固定するために使用される。
【０００３】
このような絆創膏は、下記特許文献１に示すように、粘着面と非粘着面を有する絆創膏基材と、その粘着面を覆うように貼り合わされた剥離シートとから成り、使用時には、事前に絆創膏基材に貼り合わされた剥離シートをその絆創膏基材から剥離して、絆創膏基材の粘着面を貼り付けるのが一般的である。その後、絆創膏は人体の汗等で汚れるので、一定期間で取替えることが好ましい。通常、使用済みの絆創膏は破棄されるが、絆創膏に付着或いは固着した物品には再利用できるものがある。このような物品は、元の絆創膏基材の粘着面から取り外され、新しい絆創膏基材の粘着面に付着或いは固着することで再利用される。
【０００４】
【特許文献１】
特開平１０−３１４２１４号公報
【０００５】
【発明が解決しようとする課題】
しかしながら、上記のような物品を新しい絆創膏基材の粘着面に付着或いは固着させるには、絆創膏基材の粘着面を覆っている剥離シートを剥がす必要があり、それを剥がすと、露出した粘着面に指が接触したり、絆創膏基材それ自体の撓み等によって粘着面の部分が互いに粘着してしまうことがある。このような事態を回避して物品を粘着面に付着或いは固着させることは困難な作業である。
【０００６】
また、剥離シートを剥がした絆創膏基材の粘着面に指が接触したりすることで汚れが付着すると、粘着面が劣化し粘着力が弱くなる。このため、患部に貼り付けた絆創膏が剥がれやすくなったり、劣化した粘着面が貼り付く皮膚の部分がかぶれたりすることがある。
【０００７】
本発明の目的は、粘着面の一部を開閉自在にする窓を剥離シート部に設けることにより、金属粒、鍼、チップ状の小物等の物品を容易に付着或いは固着させることができ、使用時には皮膚等の部位に容易に貼り付けることができる絆創膏を提供することである。
【０００８】
【課題を解決するための手段】
本発明は、粘着面と非粘着面を有する絆創膏基材と、その粘着面上に貼り合わされた剥離シートとから成る絆創膏において、剥離シートに、粘着面の一部を露出させる開口を形成する切れ目（例えば、後述の切れ目７）を設け、その切れ目の内側の剥離シートにおける開口の蓋となる部分（例えば、蓋７ａ）が剥離シートから離脱しないように構成したことを特徴とする。
【０００９】
本発明の具体的態様では、上記剥離シートに、当該剥離シートの端と蓋との間で当該剥離シートの一端から他端にかけて、上記粘着面上の剥離シートを少なくとも二分するスリット（例えば、後述のスリット６）が設けられる。
【００１０】
また、上記スリットによって蓋の一部が形成され、当該スリットに切れ込む切れ目（例えば、後述の切断部９ｂ）が絆創膏基材の面上で剥離シートの端に向って延びるようにする。或いは、上記剥離シートに、絆創膏基材と別の絆創膏基材との間に上記スリットから端に向って破線状の切れ目（例えば、後述の切取り線１７）が設けられる。
【００１１】
【作用及び効果】
本発明の絆創膏では、絆創膏基材の粘着面の一部を露出させる開口を形成する切れ目の内側の剥離シート部分が、開口の蓋となる。従って、絆創膏基材の粘着面に金属粒、鍼、チップ状の小物等の物品を付着或いは固着させるときは、上記の蓋となる剥離シート部分を剥がして粘着面の一部を露出させ、その粘着面に物品を付着或いは固着させることができる。つまり、粘着面の露出は一部分であり、他の粘着面は剥離シートで覆われているため、物品を付着或いは固着させるとき、従来のように露出した粘着面に指先が触れたり粘着面同士が付着することが防止される。一方、上記の蓋は、剥離シートから離脱しないので、紛失しないことに加えて、物品を付着或いは固着させた後その蓋を開口部の粘着面に容易に貼り合わせることができる。
【００１２】
以上により、本発明の絆創膏は、粘着面の一部のみが露出した部分に物品を付着或いは固着させ、物品を被覆するように蓋を元の粘着面に貼り合わせることで物品の損傷、粘着面からの脱落、及び埃等の付着による粘着面の劣化を防止することができる。
【００１３】
本発明の具体的態様において、スリットは、剥離シートの端と蓋との間に当該剥離シートの一端から他端にかけて形成された切れ目であり、粘着面上の剥離シートを少なくとも二分するように設けられている。従って、スリットを境にして粘着面上の剥離シートの一方を絆創膏基材の粘着面から剥がすことで、一方は粘着面が露出し、他方は剥離シートが貼り合わされた状態となる。この剥離シートが貼り合わされた方を保持して（例えば、指先で表面と裏面を摘んで）、剥離シートが貼り合わされていない方を患部に貼り付けることができるため、粘着面を触ることなく、患部に絆創膏基材を貼ることができる。
【００１４】
また、蓋の一部をスリットによって形成し、当該スリットに切れ込む切れ目が絆創膏基材の面上で端に向って延びる、すなわち、絆創膏基材の粘着面の一部を露出させる開口を形成する切れ目が当該スリットと交差（クロス）するように構成した場合は、スリットから端に延びた切れ目を契機として、剥離シートを端に向って切り裂くことにより、剥離シートを容易に分離することができる。例えば、剥離シートに複数の絆創膏基材が一列に並んで貼り付けられている場合、一の絆創膏基材を貼り付けた剥離シート部分が、隣の絆創膏基材を貼り付けた剥離シート部分から容易に分離される。
【００１５】
更に、剥離シートに、絆創膏基材と別の絆創膏基材との間にスリットから端に向って破線状の切れ目を設けた場合は、その破線状の切れ目に沿って剥離シートを切ることで、一の絆創膏基材を貼り付けた剥離シート部分と他の絆創膏基材を貼り付けた剥離シート部分を容易に分離することができる。
【００１６】
【発明の実施の形態】
図１は、本発明の一実施例の絆創膏１を示す平面図である。絆創膏１は、絆創膏基材２と剥離シート３で構成される。絆創膏基材２は、粘着面４と非粘着面５とから成り、粘着面４上に剥離シート３が貼り合わされている。
【００１７】
図１（Ａ），（Ｂ）は、絆創膏１の平面図、図１（Ｃ），（Ｄ）は、絆創膏１の底面図である。
【００１８】
剥離シート３には、絆創膏基材２から剥がし易くするためのスリット６が設けられている。このスリット６は、剥離シート３を剥離部分３ａと保持部分３ｂとに二分する切れ目である。
【００１９】
剥離シート３の中央部には、絆創膏基材２の粘着面４を略円形状に露出させる開口を形成する切れ目７を有する。この切れ目７は、蓋７ａを形成する。この蓋７ａは、略円形状に形成された切れ目７の内側の剥離シート部分であって、図１（Ｂ）に示すように、その切れ目７の内側の剥離シート３を手前側に捲ることによって、切れ目７に沿って粘着面４から剥がされる部分である。蓋７ａの一部は剥離シート３と一体となっているため、蓋７ａは、粘着面４から剥がしても、剥離シート３から離脱しない。このため、粘着面４から剥がした蓋７ａを元の粘着面４に貼り合わせる（図１（Ａ）の状態に戻す）ことが容易にできる。
【００２０】
蓋７ａは、剥離シート３が貼り合わされている粘着面４が指先に付着したり、粘着面４の部分同士がくっついたりすることなく、医療用具１１（図２）を粘着面４に付着させることができる。
【００２１】
図２は、上記粘着面４に医療用具１１を付着させた状態の断面図である。（ａ）に示すように、粘着面４に医療用具１１を付着させた後、（ｂ）に示すように、医療用具１１を覆うように蓋７ａを粘着面４に貼り合わせることで、粘着面４の劣化、医療用具１１の損傷、粘着面４から医療用具１１が脱落すること等を防止することができる。
【００２２】
再び図１を参照して、絆創膏基材２から剥離シート３を剥がす手順の一例について説明する。
【００２３】
絆創膏基材２から剥離シート３を剥がすときは、剥離シート３の保持部分３ｂを保持し（図１（Ｃ）に示す絆創膏基材２の非粘着面５も一緒に保持してもよい）、図１（Ｄ）に示すように、剥離シート３の剥離部分３ａを後側に捲って絆創膏基材２から剥がす。保持部分３ｂを保持したまま、この剥がされた絆創膏基材２の粘着面４を患部に貼り、保持部分３ｂを絆創膏基材２の粘着面４から剥がす。このような手順により、指で直接粘着面４に触れることなく、絆創膏基材２を患部に貼り付けることができる。
【００２４】
次に、図３は、上記の切れ目７とは異なる形状の切れ目８を設けた剥離シート３を示す。絆創膏基材２は、上述したものと同じであり、以下、同じ構成のものは同じ符号で示す。
【００２５】
図３（Ａ）に示す剥離シート３の中央部には、（Ｂ）に示すように絆創膏基材２の粘着面４を四角形状に露出させる開口を形成する切れ目８が設けられている。この切れ目８は、四角形の上辺、左辺、右辺からなり、蓋８ａを形成する。
【００２６】
蓋８ａは、切れ目８の内側の剥離シート部分であって、図３（Ｂ）に示すように、切れ目８の内側の剥離シート３を手前側に捲ることによって、切れ目８に沿って粘着面４から剥がされる部分である。
【００２７】
蓋８ａは、一部が剥離シート３と一体となっているため、蓋８ａを粘着面４から剥がしても剥離シート３から離脱しない。このため、粘着面４から剥がした蓋８ａを元の粘着面４に貼り合わせる（図３（Ａ）の状態に戻す）ことが容易にできる。
【００２８】
図４は、更に異なる形状の切れ目９を設けた剥離シート３を示す。
【００２９】
図４（Ａ）に示す剥離シート３の中央部には、（Ｂ）に示すように絆創膏基材２の粘着面４を四角形状に露出させる開口を形成する切れ目９が設けられている。この切れ目９は、四角形の上辺と右辺からなり、上辺の左端は、絆創膏基材２の面上で剥離シート３の左端に向って延び、剥離シート３の保持部分３ｂに入り込んでいる。この保持部分３ｂに入り込んだ切れ目９の部分は、切断部９ｂとなっている。スリット６が上記四角形の左辺を兼ねることによって、蓋９ａが形成される。
【００３０】
蓋９ａは、切れ目９の内側の剥離シート部分であって、図４（Ｂ）に示すように、その切れ目９の内側の剥離シート３を手前側に捲ることによって、切れ目９に沿って粘着面４から剥がされる部分である。蓋９ａは、一部が剥離シート３と一体となっているため、蓋９ａを粘着面４から剥がしても、剥離シート３から離脱しない。このため、粘着面４から剥がした蓋９ａを元の粘着面４に貼り合わせる（図４（Ａ）の状態に戻す）ことが容易にできる。
【００３１】
図５は、更に異なる形状の切れ目１０を設けた剥離シート３を示す。
【００３２】
図５（Ａ）に示す剥離シート３の中央部には、（Ｂ）に示すように絆創膏基材２の粘着面４を四角形状に露出させる開口を形成する切れ目１０が設けられている。この切れ目１０は、四角形の上辺と下辺で構成され、その上辺の左端は、絆創膏基材２の面上で剥離シート３の左端に向って延び、剥離シート３の保持部分３ｂに入り込む一方、下辺の左端は、スリット６に合致している。剥離シート３の保持部分３ｂに入り込んだ切れ目１０の部分は、切断部１０ｂとなっている。スリット６が上記四角形の左辺を兼ねることによって、蓋１０ａが形成される。
【００３３】
蓋１０ａは、切れ目１０の内側の剥離シート部分であって、図５（Ｂ）に示すように、その切れ目１０の内側の剥離シート３を右側に捲ることによって、切れ目１０に沿って粘着面４から剥がされる部分である。蓋１０ａは、一部が剥離シート３と一体となっているため、蓋１０ａを粘着面４から剥がしても剥離シート３から離脱しない。このため、粘着面４から剥がした蓋１０ａを元の粘着面４に貼り合わせる（図５（Ａ）の状態に戻す）ことが容易にできる。
【００３４】
次に、図６〜図９は、図において上下に長い剥離シート１５の面に各列１０枚ずつ２列に絆創膏基材２を貼り合わした絆創膏を示す。
【００３５】
図６に示すように、剥離シート１５の左側縁と右側縁では、各々の近くに上端から下端まで直線状に延びたスリット１６が設けられている。このスリット１６は、剥離シート１５を剥離部分１５ａとその両側の保持部分１５ｂとに分ける切れ目である。すなわち、剥離部分１５ａは、２本のスリット１６の間の部分であり、保持部分１５ｂは、各スリット１６より外側の部分である。これらの保持部分１５ｂにおいては、列をなす絆創膏基材２の間に後述の切取り線１７が設けられている。
【００３６】
図７を参照して、図６の剥離シート１５から絆創膏基材２を剥がす手順の一例について説明する。
【００３７】
上記切取り線１７は、保持部分１５ｂを貼り合わせた状態で、絆創膏基材２を剥離部分１５ａから剥がすための破線状の切れ目である。図７（１）において、左上の切取り線１７に沿って保持部分１５ｂを切ることにより、図７（２）に示すように、左上の保持部分１５ｂがその下の保持部分１５ｂから切り離される。この切り離された保持部分１５ｂを保持し（絆創膏基材２の非粘着面５も一緒に保持してもよい）、図７（３）に示すように、絆創膏基材２を剥離シート１５の剥離部分１５ａから剥がす。次に、保持部分１５ｂを保持しながら、図７（４）に示すように、剥がされた絆創膏基材２の粘着面４を患部１８に貼り、その保持部分１５ｂを絆創膏基材２の粘着面４から剥がす。これにより、剥離シート１５に絆創膏基材２を複数貼り付けた図６の絆創膏においても、前述と同様に、粘着面４に触れることなく絆創膏基材２を患部１８に貼ることができる。
【００３８】
図８は、絆創膏基材２ごとに図５の切れ目１０と同様の切れ目を有する剥離シート１５を示す。この切れ目による切断部１０ｂは、保持部分１５ｂを貼り合わせた状態で、剥離部分１５ａを切り裂くきっかけとなる切れ目である。
【００３９】
図９を参照して、図８の剥離シート１５から左上の絆創膏基材２を剥がす手順の一例について説明する。
【００４０】
図９（１）において、左上の絆創膏基材２を剥離シート１５から剥がす場合、左上の保持部分１５ｂを保持し（絆創膏基材２の非粘着面５も一緒に保持してもよい）、絆創膏基材２を剥離部分１５ａから剥がすとともに、左上の保持部分１５ｂとその下の保持部分１５ｂを切り離す。この切り離しの際には、図９（２）に示すように、当該絆創膏基材２の下側の切断部１０ｂを契機として、左端まで裂く。これにより、図９（３）に示すように、剥離シート１５の保持部分１５ｂが貼り合わされた状態で、絆創膏基材２を剥離シート１５の剥離部分１５ａから剥がすことができる。次に、その保持部分１５ｂを保持しながら、図９（４）に示すように、剥がされた絆創膏基材２の粘着面４を患部１８に貼り、当該保持部分１５ｂを絆創膏基材２の粘着面４から剥がす。これにより、剥離シート１５に絆創膏基材２を複数貼り付けた図８の絆創膏においても、前述と同様に、粘着面４を触れることなく絆創膏基材２を患部１８に貼ることができる。
【００４１】
上記の図６〜図９に示す剥離シート１５は、左側と右側に保持部分１５ｂを有するため、使用者は、右利き・左利きにかかわらず、同様に取り扱うことができる。
【００４２】
図１０は、剥離シート２０の面に各列が縦方向に１０枚ずつ横６列に並んで絆創膏基材２を貼り付けた絆創膏を示す。
【００４３】
この剥離シート２０には、図４の切れ目９と同じ切れ目が設けられ、左から順に、上端から下端まで延びたスリット２１〜２６が設けられている。図において左端のスリット２１の左側の剥離シート部分は、前述の保持部分としての役割を果す。また、絆創膏基材２ごとに切断部９ｂが設けられているため、図８及び図９に示す剥離シート１５と同様に、絆創膏基材２ごとに保持部分を切り離して使用することができる。
【００４４】
左端の列の絆創膏基材２が全て使用されたときは、上記スリット２１の左側の剥離シート部分がその右側の剥離シート部分から分離されたことになるので、上記スリット２１が剥離シート２０の左端となる。従って、次のスリット２２の左側の剥離シート部分が前述の保持部分としての役割を果し、前述と同じように絆創膏基材２を使用することができる。以下同様に、各列の絆創膏基材２を剥離シート２０から容易に剥がして使用することができる。
【図面の簡単な説明】
【図１】（Ａ），（Ｂ）は、本発明の実施例の平面図、（Ｃ），（Ｄ）は、同実施例の底面図。
【図２】図１のＡ−Ａ線に沿った断面図。
【図３】別の実施例の平面図。
【図４】更に別の実施例の平面図。
【図５】更に別の実施例の絆創膏の平面図。
【図６】複数の絆創膏基材を有する絆創膏の例を示す図。
【図７】図６に示す剥離シートから絆創膏基材を剥がす手順を示す図。
【図８】複数の絆創膏基材を有する絆創膏の別の例を示す図。
【図９】図８に示す剥離シートから絆創膏基材を剥がす手順を示す図。
【図１０】複数の絆創膏基材を有する絆創膏の更に別の例を示す図。
【符号の説明】
１…絆創膏、２…絆創膏基材、３…剥離シート、３ａ…剥離部分、３ｂ…保持部分、４…粘着面、５…非粘着面、６…スリット、７，８，９，１０…切れ目、７ａ，８ａ，９ａ，１０ａ…蓋、１１…医療用具、９ｂ，１０ｂ…切断部、１５…剥離シート、１５ａ…剥離部分、１５ｂ…保持部分、１６…スリット、１７…切取り線、１８…患部、２０…剥離シート、２１，２２，２３，２４，２５，２６…スリット。
【図１】
2004236795.tif 000003
【図２】
2004236795.tif 000004
【図３】
2004236795.tif 000005
【図４】
2004236795.tif 000006
【図５】
2004236795.tif 000007
【図６】
2004236795.tif 000008
【図７】
2004236795.tif 000009
【図８】
2004236795.tif 000010
【図９】
2004236795.tif 000011
【図１０】
2004236795.tif 000012